(57)【特許請求の範囲】
【請求項１】
履物の底に静電防止材を設けた履物であって、
前記静電防止材は、起毛のある導電性不織布であり、且つ前記起毛の繊維径が数μｍ〜数十μｍであり、
前記起毛のある導電性不織布は、接地面側に起毛が存在するように設けられたことを特徴とする静電防止材付き履物。
【発明の詳細な説明】
【０００１】
【発明の属する技術分野】
本発明は、例えばホテルや病院や事務所等の室内を歩行中に、人体に帯電する静電気により電撃等の不快感が生じるのを防止する技術に関する。
【０００２】
【従来の技術】
従来、例えばスリッパ等の履物を履いた人がホテルや病院や事務所等の室内を歩行すると、床面と履物底との摩擦によって床と履物の双方に静電気が発生して帯電し、その履物を履いた人間も静電気からの誘導によって帯電する。このような人体への帯電は、例えば抵抗値の低い金属等の導体に接触した際に、電撃（火花放電）等の不快感を生じさせるため、例えば金属等と手の間に、電気抵抗値が１０６〜１０１１Ω程度の抵抗の大きい静電気拡散部材を配置して、電撃の防止を図ったり、加湿器や散水の使用により環境湿度を６０〜６５％以上に上げ、静電気を拡散しやすくして、人体への帯電を抑制したり、特開平６−３３５４０１号のような導電性スリッパを導電性床上で使用して、人体に帯電した静電気を床から拡散させるような技術が知られている。
【０００３】
【発明が解決しようとする課題】
ところが、金属等と手の間に抵抗の大きい静電気拡散部材を配置するような技術は、機能上配置が不可能な場合があったり、美観上適切でない場合がある。
また、加湿器や散水によって湿度を上げる方法は、適用空間部が広すぎたり、散水が出来ない場所であったりすると効果が少ないか、または効果が得られず、また導電性床を使用する技術は、床材が高価なため、設備費がかかる等の問題がある。
また、導電性素材からなる導電性スリッパ等の履物と、導電性床材との両方を組み合わせて使用することは、一般の住宅やホテル等では行うことが難しく、また、いずれか一方だけを使用するのでは、効果の面で充分でなかった。
【０００４】
そこで本発明は、一般的に使用されている絶縁性の床を使用したフロアでも、履物を通して静電気が拡散されて人体に帯電しにくいようにし、電撃による不快感を防止するとともに、一般の履物でも簡易に静電防止効果が得られる静電防止材を提供することを目的とする。
【０００５】
【課題を解決するための手段】
上記目的を達成するため本発明は、履物の底に静電防止材を設けた履物であって、前記静電防止材は、起毛のある導電性不織布であり、且つ前記起毛の繊維径が数μｍ〜数十μｍであり、前記起毛のある導電性不織布は、接地面側に起毛が存在するように設けられるようにした。

【０００６】
すなわち、履物を履いた人が床を歩行すると、床と履物の摩擦により、床と履物の両者にお互いに逆極性の静電気が発生する。ここで床が絶縁性であれば、履物が絶縁性の場合は勿論、履物が導電性であっても静電気が人体に帯電し、床が導電性であれば、履物が絶縁性の場合に静電気は人体に帯電する。
この場合、人体への帯電電位が２ｋＶ以下の場合は、抵抗値の低い金属等の導体に触れても殆ど電撃を感じないが、２〜３ｋＶ以上になると電撃を感じて不快な思いをすることが多くなる。
【０００７】
このような絶縁物に帯電する静電気を効果的に除去するには、帯電電荷と逆極性のイオンにより中和することであり、静電気の中和に利用されるイオンの発生方法としてはコロナ放電による方法が一般的である。
このコロナ放電は、先の尖った針電極や、細線電極や、曲率半径が極めて小さい電極の近傍に不平等電界が形成され、その電界が局部的に絶縁破壊電界強度を超えることによって起きる放電であり、導電性繊維の起毛はコロナ放電を生じさせるのに最適である。
このため、履物用の静電防止材として、歩行によって床と履物との間に生じる静電気を導電性繊維の起毛のコロナ放電作用によって、電撃を感じない程度まで緩和出来るようにする。
【０００８】
すなわち、本発明の静電防止材を、一般の導電性を有さないスリッパや、サンダルや、カジュアルシューズや、スポーツシューズ等の履物底に対して、接地面側に起毛が存在するように、起毛のある導電性不織布を両面テープや接着剤や縫製等の手段によって固定すれば良い。
または、本静電防止材の、起毛のある導電性不織布を基材としたレザーや人口皮革等のスリッパ等を作製し、少なくとも靴底部分は、基材となる起毛のある導電性不織布における起毛が接地面側に出るようにすれば良い。
この際、起毛のある導電性不織布としては、ステンレス繊維などの金属繊維や、カーボン繊維や、合成樹脂繊維を導電化した導電性繊維が使用出来、これら導電性繊維を交絡した導電性不織布の起毛のあるものが適用でき、特に、多数の針状の起毛が不織布の表面に存在するものが好ましい。
【０００９】
更に本発明では、前記起毛の繊維径が、数μｍ〜数十μｍであるようにした。ここで、コロナ放電は、電荷が集中する電極先端の曲率に依存し、曲率が小さいほど発生しやすい。このため、起毛の繊維径は数μｍ〜数十μｍとした。

【００１１】
ここで、本発明の静電防止材は、前述のように、起毛のある導電性不織布を、接地面側に起毛が存在するように導電性のない一般の履物の履物底に接着または縫着するようにしても良く、また、基材の周囲に合成皮革や合成樹脂レザー等の被覆材を被せたような履物において、基材を起毛のある導電性不織布とし、履物の接地面側の被覆材を開放して接地面側の基材となる起毛のある導電性不織布における起毛を露出させるようにしても良く、また、履物底自体を起毛のある導電性不織布で構成し、起毛を接地面側に存在させるようにしても良い。
【００１２】
【発明の実施の形態】
本発明の実施の形態について添付した図面に基づき説明する。
ここで図１は本発明に係る履物用の静電防止材を接地面側から見た説明図、図２は図１のＡ−Ａ線拡大断面図、図３は同静電防止材を履物の接地面側に貼り付けた状態の説明図、図４は本発明に係る静電防止手段を採用した履物の一例を示す説明図、図５は各種履物を使用して歩行し、人体に帯電した電位測定を比較した試験結果図である。
【００１３】
本発明に係る履物用の静電防止材及び履物は、例えばホテルや病院や事務所等の一般の床面を歩いた時でも、人体に帯電する静電気が抑制されて電撃等の不快感を防止出来るようにされ、安価に且つ簡易な構成で達成出来るようにされている。
【００１４】
まず静電防止材の構成から説明すると、この静電防止材１は、図１、図２に示すように、靴やスリッパやサンダル等の履物の接地面側に貼り付け可能とされ、導電性繊維からなる導電性不織布２の裏面側に両面テープの接着層３が設けられ、その上に離型紙４が付着されており、導電性不織布２の底面側には起毛部２ａが形成されている。
【００１５】
そして、図３に示すように、離型紙４を剥がして接着層３を履物５の接地面側に貼り付ければ、起毛部２ａが床面に接触するようにしており、本実施例では、導電性不織布２として、表面側に多数の突起状の起毛部２ａが形成されるアキレス株式会社製のＳＴ不織布（商品名）としている。
【００１６】
ここで、前述のように、導電性繊維としては、金属繊維やカーボン繊維の他、ポリエステル系、ポリアミド系、ポリアクリル系、ポリオレフィン系、ポリウレタン系等の合成樹脂繊維を導電化したものが使用可能であり、合成樹脂繊維を導電化する方法としては、ポリピロールやポリアニリン等の導電性ポリマーを繊維表面及び／又は繊維内部に複合化する方法や、硫化銅を繊維表面に被覆する方法等、一般に繊維の導電化に使用されている任意の技術が適用可能である。
【００１７】
また、導電化する前の合成樹脂繊維を交絡して得られる不織布を導電化するようにしても良い。
【００１８】
また、静電防止材１を履物５の底に貼り付ける手段は、両面テープの接着層３に限られるものではなく、通常の接着剤によるようにしても良く、また縫い付けるようにしても良く、特に限定されるものではない。
【００１９】
以上のような静電防止材１が貼り付けられた履物５を履いて床面等を歩行すると、歩行時に床面との摩擦によって履物５に静電気が帯電しても、起毛部２ａのコロナ放電により、履物５に帯電している電荷と逆のイオン対が発生して中和され、電撃を感じない電位まで静電気が除去される。
因みに、このような静電防止材１は、ホテル等において使い捨て方式にすることも可能である。
【００２０】
次に、静電防止材を備えた履物の構成例について説明すると、図４（ａ）は、静電防止手段６として、履物７の履物底７ｚ全体を導電性不織布で構成した例であり、また、図４（ｂ）は、基材９の周囲に合成皮革や合成樹脂レザー等の被覆材１０を被せたような履物８において、基材９に導電性不織布を使用し、履物８の接地面側の被覆材１０を開放して同部の基材９を露出させるようにした例である。
そしていずれの場合も、接地面側に起毛部が形成されており、前記静電防止材１と同様な静電防止効果が得られるようにしている。
【００２１】
（実施例及び比較例）
一般のＰＶＣレザーのスリッパを履いて、除電した絶縁性のＰＶＣ製タイル（抵抗値１０１１Ω以上）上を歩行し、人体帯電電位、電撃の有無、床面の帯電電位を測定し、このスリッパの場合を（Ａ）とした。
また、同じスリッパの接地面側に、起毛のある導電性不織布（抵抗値１０ｋΩ）を両面テープで貼り付けて同じ床を歩行し、このスリッパの場合を（Ｂ）とした。
また、同じスリッパの接地面側に、導電性のＰＥフィルム（厚さ０．１ｍｍ、カーボンブラック混練；抵抗値１０ｋΩ）を貼り付けて同じ床を歩行し、このスリッパの場合を（Ｃ）とした。
更に、ＪＩＳ  Ｔ−８１０３で測定した電気抵抗値が１０７Ωの導電性スリッパで同じ床を歩行し、このスリッパの場合を（Ｄ）とした。
尚、人体帯電電位の測定は、ＪＩＳ  Ｌ−１０２３に準拠して行い、床面の帯電電位は表面電位計（ＡＳ−ｍｉｎｉ；アキレス株式会社製）を使用して行った。
【００２２】
このうち、人体帯電電位の測定結果は、図５及び表１の通りであり、また、電撃の有無、床面の帯電電位の測定結果は、表１の通りである。
尚、試験時の温度は２４．５℃、湿度は２８．５％ＲＨであった。
【００２３】
【表１】
0004840836.tif 000002
【００２４】
この結果、一般のＰＶＣレザーのスリッパ（Ａ）の接地面側に導電性不織布を貼り付けたスリッパ（Ｂ）は、人体帯電電位が約１，０００Ｖであり、金属板に触れても電撃は感じなかったが、一般のＰＶＣレザーのスリッパ（Ａ）は、人体帯電電位が約５，０００Ｖであり、金属板に触れた瞬間に大きな電撃を感じ、また、導電性のＰＥフィルムを貼り付けたスリッパ（Ｃ）、及び導電性スリッパ（Ｄ）は、人体帯電電位が約３，０００Ｖであり、金属板に触れた瞬間に電撃を感じた。
この結果、本発明の有効性が確認された。
【００２５】
尚、本発明は以上のような実施形態に限定されるものではない。本発明の特許請求の範囲に記載した事項と実質的に同一の構成を有し、同一の作用効果を奏するものは本発明の技術的範囲に属する。
例えば履物の種類等は任意であり、また、静電防止材１の形状等も任意である。
【００２６】
【発明の効果】
以上のように本発明に係る静電防止材付き履物は、履物の底に静電防止材を設け、前記静電防止材は起毛のある導電性不織布であり、前記起毛のある導電性不織布は接地面側に起毛が存在するように設けたため、床面が絶縁性であっても、歩行時等に摩擦によって生じる静電気をコロナ放電作用により除去することが出来、電撃による不快感等を防止ことが出来る。また、簡易な構成であり安価に構成出来る。
そして、前記起毛の繊維径を、数μｍ〜数十μｍにすれば、コロナ放電を起こし易くすることが出来、除電効果を高めることが出来る。
【図面の簡単な説明】
【図１】本発明に係る履物用の静電防止材を接地面側から見た説明図
【図２】図１のＡ−Ａ線拡大断面図
【図３】静電防止材を履物の接地面側に貼り付けた状態の説明図
【図４】本発明に係る静電防止手段を採用した履物の一例を示す説明図
【図５】各種履物を履いて床面を歩行し、人体に帯電した電位測定を比較した試験結果図で、（Ａ）はＰＶＣレザーのスリッパの場合、（Ｂ）はＰＶＣレザーのスリッパの裏側に静電防止材を貼り付けた場合、（Ｃ）はＰＶＣレザーのスリッパの裏側に導電フィルムを貼り付けた場合、（Ｄ）は導電スリッパの場合
【符号の説明】
１…静電防止材、２…導電性繊維、２ａ…起毛部、６…静電防止手段、７ｚ…導電性繊維の履物底、９…導電性繊維の基材、１０…被覆材。
【図１】
0004840836.tif 000003
【図２】
0004840836.tif 000004
【図３】
0004840836.tif 000005
【図４】
0004840836.tif 000006
【図５】
0004840836.tif 000007